(57)【要約】【課題】本発明の目的は、熟練者でない通常の施工担当者でも、機械的かつ簡単に防水加工することが可能な柱付き腰壁及び腰壁への柱固定方法を提供することにある。また、本発明の他の目的は、躯体側への浸水を防止できると同時に、柱の設置強度の高い柱付き腰壁及び腰壁への柱固定方法を提供することにある。【解決手段】本発明は、建物の屋上に連続して形成された腰壁３の上面に柱６が設置される柱付き腰壁に関する。建物の本体を支える横架材２２に対して固定され、腰壁３内に格納され、腰壁３上面を被覆する笠木５を貫通して上方に突出する連結部を備えた柱支持材８と、柱支持材８の連結部に、笠木５の上側で固定された連結部材１０と、連結部材１０の上に連結される柱６とを備える。【選択図】  図１
2004232390.tif 000002
【特許請求の範囲】
【請求項１】
建物の上面に連続して形成された腰壁上に柱が立設されてなる柱付き腰壁であって、
前記建物の本体を支える横架材に対して固定され、前記腰壁内に格納され、前記腰壁上面を被覆する笠木を貫通して上方に突出する連結部を備えた柱支持材と、
該柱支持材の前記連結部に、前記笠木の上側で固定された連結部材と、
該連結部材の上に連結される前記柱と、を備えることを特徴とする柱付き腰壁。
【請求項２】
前記柱支持材の連結部は、前記柱支持材の上端に形成され、該上端の面よりも上方に突出すると共に、前記連結部材を支持する支持突起と、
該支持突起に上方に突出して形成された前記連結部材を螺設するための螺子部と、を備えることを特徴とする請求項１記載の柱付き腰壁。
【請求項３】
前記連結部材は、下面が前記柱支持体の前記支持突起に支持されると共に上面で前記柱を支持する支持部と、
該支持部を貫通し、前記螺子部を螺子止めするための貫通孔と、
前記支持部の前記下面から下方に立設する筒状の壁体と、を備え、
前記支持部の前記下面及び前記壁体は、前記柱支持体の前記支持部の頭部を被覆可能な形状に形成されていることを特徴とする請求項２記載の柱付き腰壁。
【請求項４】
前記連結部材は、下面が前記柱支持体の前記支持突起に支持されると共に上面で前記柱を支持する支持部と、
該支持部を貫通し、前記螺子部を螺子止めするための貫通孔と、
前記柱に連結するための柱連結部と、を備え、
前記柱は、下端に、前記柱連結部に連結するための連結部材連結部と、前記支持部の貫通孔を被覆可能な被覆室とが形成されていることを特徴とする請求項２記載の柱付き腰壁。
【請求項５】
建物の上面に連続して形成された腰壁上に柱を設置する腰壁への柱固定方法であって、
前記建物の本体を支える横架材に対して、ボルトの螺子部が上方に突出する支持突起を上面に備えた柱支持材を固定すると共に、該柱支持材を除く領域に腰壁の土台を設置する工程と、
前記腰壁の土台上面及び前記柱支持材上面の略全面を、前記支持突起が突出するように板体で覆う工程と、
前記板体と前記支持突起との間隙に防水処理を施す工程と、
前記板体の上面の略全面を、前記支持突起が突出するように防水テープで覆う工程と、
前記防水テープで覆われた前記板体に、前記支持突起が突出するように笠木を固定する工程と、
前記支持突起上に、前記ボルトの貫通孔を備えた連結部材を、前記ボルトを突出させて載置し、螺子止めにより固定する工程と、
前記連結部材に、前記柱を固定する工程と、を行うことを特徴とする腰壁への柱固定方法。
【発明の詳細な説明】
【０００１】
【発明の属する技術分野】
本発明は柱付き腰壁及び腰壁への柱固定方法に係り、特に簡単な工程で防水され、柱の設置強度が高い柱付き腰壁及び腰壁への柱固定方法に関する。
【０００２】
【従来の技術】
屋上やバルコニー等に、屋上やバルコニー等の天井部分を形成する格子状のパーゴラや、外部からの目隠しのための格子が設置された建物が知られている。
これらのパーゴラや格子には、支持するための支柱が必要であり、通常は屋上、バルコニー等の床に支柱が固定される。
【０００３】
しかし、場合によっては、デザイン上、バルコニー等の面積上の理由から、屋上やバルコニー等の手摺等に設置された笠木上に支柱を立設したいことがあり、手摺の笠木に柱を固定する方法が提案されている（例えば、特許文献１）。
【０００４】
【特許文献１】
特公平７−５４０２９号公報
この特許文献１には、バルコニーの手摺に設置されるパーゴラの柱であって、手摺上に笠木を貫通して金物が固定され、この金物にパーゴラの柱が固定されることが記載されている。
金物とパーゴラの柱との固定箇所には、上下端が開口となった筒体が、笠木の上側に設置されている。この筒体は、金物とパーゴラの柱とを連結する役割を果たす。また、筒体の下端と笠木上面との隙間にはシール材によるシーリングが施され、このシール材により手摺内に雨滴が浸水しないように構成されている。
【０００５】
【発明が解決しようとする課題】
しかし、上記特許文献１によれば、防水処理がシール材により行われるため、防水処理の品質が、現場の施工担当者の技能に左右され、熟練した職人が行う必要があった。
すなわち、防水処理が十分でないと、手摺から建物の躯体側に浸水して室内への水漏れの原因となるため、防水処理は厳重に行う必要があり、熟練した職人の手がとられるという問題点があった。
【０００６】
また、柱が固定される金物が、手摺上に設置されているため、柱の設置強度が弱いという問題点もあった。
屋上やバルコニーの手摺上に柱を設置する方法は存在するが、熟練者でない通常の施工担当者でも簡単に十分な防水加工が可能であると同時に、設置強度の高いものは、知られていない。
【０００７】
本発明の目的は、上記問題点を解決することにあり、熟練者でない通常の施工担当者でも、機械的かつ簡単に防水加工することが可能な柱付き腰壁及び腰壁への柱固定方法を提供することにある。
また、本発明の他の目的は、躯体側への浸水を防止できると同時に、柱の設置強度の高い柱付き腰壁及び腰壁への柱固定方法を提供することにある。
【０００８】
【課題を解決するための手段】
上記課題は、請求項１に係る発明によれば、建物の上面に連続して形成された腰壁上に柱が立設されてなる柱付き腰壁であって、前記建物の本体を支える横架材に対して固定され、前記腰壁内に格納され、前記腰壁上面を被覆する笠木を貫通して上方に突出する連結部を備えた柱支持材と、該柱支持材の前記連結部に、前記笠木の上側で固定された連結部材と、該連結部材の上に連結される前記柱と、を備えることを特徴とする柱付き腰壁と、を備えることにより解決される。
【０００９】
このように建物の本体を支える横架材に対して固定され、腰壁内に格納され、腰壁上面を被覆する笠木を貫通して上方に突出する連結部を備えた柱支持材と、柱支持材の前記連結部に、前記笠木の上側で固定された連結部材を備え、連結部材の上に柱が連結されるように構成されていると、腰壁上部に柱を立設するための強固な基礎を築くことができる。
【００１０】
また、柱支持材が、建物の本体を支える横架材に対して固定されているので、設置強度の高い柱を立設することができる。
更に、柱支持材は、腰壁内に格納されているため、意匠面においても優れた柱付き腰壁を提供することができる。
【００１１】
このとき、前記柱支持材の連結部は、前記柱支持材の上端に形成され、該上端の面よりも上方に突出すると共に、前記連結部材を支持する支持突起と、該支持突起に上方に突出して形成された前記連結部材を螺設するための螺子部と、を備えるように構成されていると好適である。
【００１２】
このように、柱支持材の連結部が、柱支持材の上端に形成され、上端の面よりも上方に突出すると共に、連結部材を支持する支持突起と、支持突起に上方に突出して形成された連結部材を螺設するための螺子部とを備えていると、支持突起上方に突出して形成された螺子部により、連結部材を簡易に螺設することができ、簡易に腰壁上部に柱を立設することができる。
【００１３】
このとき、前記連結部材は、下面が前記柱支持体の前記支持突起に支持されると共に上面で前記柱を支持する支持部と、該支持部を貫通し、前記螺子部を螺子止めするための貫通孔と、前記支持部の前記下面から下方に立設する筒状の壁体と、を備え、前記支持部の前記下面及び前記壁体は、前記柱支持体の前記支持部の頭部を被覆可能な形状に形成されていると好適である。
【００１４】
このように、連結部材が、支持部の下面から下方に立設する筒状の壁体を備え、支持部の下面及び壁体が、柱支持体の支持部の頭部を被覆可能な形状に形成されていると、柱支持体の支持部の頭部を被覆することが可能となるため、柱支持体の支持部の頭部からの浸水を防止でき、防水面の強化をはかることができる。
【００１５】
また、前記連結部材は、下面が前記柱支持体の前記支持突起に支持されると共に上面で前記柱を支持する支持部と、該支持部を貫通し、前記螺子部を螺子止めするための貫通孔と、前記柱に連結するための柱連結部と、を備え、前記柱は、下端に、前記柱連結部に連結するための連結部材連結部と、前記支持部の貫通孔を被覆可能な被覆室とが形成されていると好適である。
【００１６】
このように、柱に、柱に連結するための柱連結部が備えられ、下端に柱連結部に連結するための連結部材連結部と、支持部の貫通孔を被覆可能な被覆室とが形成されていると、被覆室によって支持部の貫通孔が被覆されるため、支持部の貫通孔からの浸水を防止でき、防水面の強化をはかることができる。
また、支持部上部が被覆室により被覆され、外部より視認できなくなるため、意匠面においても優れた柱付き腰壁を提供することができる。
【００１７】
なお、上記課題は、請求項５に係る発明によれば、建物の上面に連続して形成された腰壁上に柱を設置する腰壁への柱固定方法であって、前記建物の本体を支える横架材に対して、ボルトの螺子部が上方に突出する支持突起を上面に備えた柱支持材を固定すると共に、該柱支持材を除く領域に腰壁の土台を設置する工程と、前記腰壁の土台上面及び前記柱支持材上面の略全面を、前記支持突起が突出するように板体で覆う工程と、前記板体と前記支持突起との間隙に防水処理を施す工程と、前記板体の上面の略全面を、前記支持突起が突出するように防水テープで覆う工程と、前記防水テープで覆われた前記板体に、前記支持突起が突出するように笠木を固定する工程と、前記支持突起上に、前記ボルトの貫通孔を備えた連結部材を、前記ボルトを突出させて載置し、螺子止めにより固定する工程と、前記連結部材に、前記柱を固定する工程と、を行うことにより解決される。
【００１８】
このような腰壁への柱固定方法によると、建物躯体への浸水が防止された柱付き腰壁を提供できるとともに、設置強度の高い柱付き腰壁を提供できる。
また、一連の簡易な作業によって柱付き腰壁を立設できるため、熟練者でない通常の施工担当者でも、簡易に十分な防水加工を施すことができるとともに、腰壁上部に設置強度の高い柱を立設することができ、一定した品質の柱付き腰壁を提供することができる。
【００１９】
【発明の実施の形態】
以下、本発明の一実施形態を図面に基づいて説明する。なお、以下に説明する部材，配置等は本発明を限定するものでなく、本発明の趣旨の範囲内で種々改変することができるものである。
図１は、本実施形態の柱付き腰壁を示す斜視図である。
実施形態の柱付き腰壁とは、腰壁３上に、笠木５を貫通して柱６が立設された腰壁３をいい、バルコニー７の柵４等を設置するために設置される。
本実施形態の柱付き腰壁は、図１に示すように、バルコニー７の腰壁３に設けられる。
【００２０】
図１は、建物の外壁１と、２階建ての建物の２階の角に設けられるバルコニー７と、バルコニー７の腰壁３と、バルコニー７の腰壁３の上面に設置される笠木５と、笠木５の上に設置されるバルコニー７の柵４と、腰壁３の上に笠木５を貫通して固定される柵４の柱６と、を示している。
【００２１】
バルコニー７は、２階建ての建物の２階に設けられる公知のバルコニーであって、図１に示すように建物２階の角に出隅２が形成されており、建物外側との境界となる外周には、腰壁３が立設されている。
腰壁３の上面には、腰壁３の全長に亘ってアルミニウム製の笠木５が固定されている。
【００２２】
笠木５上には、柱６が、笠木５を貫通して固定されている。
柱６は、バルコニー７に設置される柵４を支持するものである。
腰壁３は、バルコニー７より立設し、外界との境界となる高さ２０〜４０ｃｍ程度の低い壁のことである。本実施形態においては、腰壁３の上部に柵４が形成される。
【００２３】
柵４は、バルコニー７内部と外界との境界となるものであり、柱６に固定されている。なお、本実施形態の柵４は、鉛直方向に複数の棒状体が掛け渡されているが、格子状に形成されていてもよい。
柵４が格子状に形成されていると、外界からの視界を遮断しつつ、採光も十分に確保でき、また、意匠上も優れたものとなる。この格子は、開口ピッチが５０ｍｍ程度の格子であれば、なお好適である。
【００２４】
出隅２における腰壁３への柱６の固定部について、説明する。
図２は、柵４を取り付けていない状態の腰壁３の出隅２付近の平面図、図３は図２のＡ−Ａ線断面図、図４は腰壁コネクター８と、ジョイントボックス２１と、梁２２との、結合状態を表す概略図、図５はパラペット笠木合板９を取付ける前の出隅２付近の平面図、図６は柱取合いプレート１０の平面図、図７は柱６の平面図である。
【００２５】
出隅２における腰壁３への柱６の固定部は、図２、図３、図４に示すように、腰壁３内に設置される腰壁コネクター８と、腰壁コネクター８を梁２２に固定するためのジョイントボックス２１と、腰壁３の上面略全面を覆う笠木合板９と、腰壁３の上の笠木合板９上面を覆う笠木５と、柱６を腰壁コネクター８に連結する連結部材としての柱取合いプレート１０と、柱６と、を主要構成要素とする。
【００２６】
ジョイントボックス２１は、鋼製の中空直方体からなり、各側面に夫々８個及び各底面に夫々４個のボルト孔２１ａが形成されている。
ジョイントボックス２１は、腰壁コネクター８を梁２２に連結する役目を果たす。
【００２７】
本実施形態の梁２２は、２階建て建物の２階の床を支持するものであって、特許請求の範囲の横架材に該当する。
梁２２は、断面Ｈ形のＨ型鋼であり、長さ方向の端面には、図４に示すように、梁２２の長さ方向と垂直の鋼板２２ａが溶接固定されている。
【００２８】
鋼板２２ａには、ジョイントボックス２１のボルト孔２１ａと対応する位置に、不図示のボルト孔が穿設され、このボルト孔及びボルト孔２１ａで不図示のボルトが締結されることにより、梁２２とジョイントボックス２１とが連結される。ジョイントボックス２１は、バルコニー７内部側の２側面で、梁２２に固定される。
【００２９】
梁２２の上のジョイントボックス２１上を除く領域には、バルコニー７の床７ａが張り渡されている。バルコニー７の外周に沿って、床７ａ上には腰壁３が立設されている。腰壁３は、図５に示すように、梁２２の上方の位置に設置されている。
【００３０】
腰壁３は、床７ａ上に、鉛直に立設される不図示の複数の支柱と、この支柱に支持され、バルコニー７の外周に沿って水平に配置される腰壁上面板３ａと、から構成されている。
腰壁上面板３ａは、バルコニー７の外周のジョイントボックス２１上を除く領域に設置されている。
ジョイントボックス２１上には、腰壁コネクター８が設置されている。
【００３１】
本実施形態の腰壁コネクター８は、柱６を、ジョイントボックス２１を介して梁２２に固定する役割を果たす鋼製の柱支持材であって、特許請求の範囲の柱支持材に該当する。
腰壁コネクター８は、２本の山形鋼１７と、腰壁コネクター下面部１８と、腰壁コネクター上面部１３と、が相互に溶接固定されて形成されている。
【００３２】
山形鋼１７は、断面Ｌ字形の鋼材である。
腰壁コネクター下面部１８は、鋼製からなり、正方形の一つの角が斜めに切り欠かれた５角形の板体である。腰壁コネクター下面部１８には、ジョイントボックス２１と連結するための２個のボルト孔が形成されている。
腰壁コネクター上面部１３は、鋼製の正方形の板体である。腰壁コネクター上面部１３の上面側には、ボルト脚部１２が溶接固定されている。
【００３３】
本実施形態のボルト脚部１２は、鋼製の中空円筒体であり、特許請求の範囲の支持突起に該当する。
ボルト脚部１２は、下端が腰壁コネクター上面部１３の上面に溶接され、ボルト脚部１２の上面部には、ボルト１１を貫装可能な貫通孔が形成されている。
２つの山形鋼１７は、一方の山形鋼１７の２つの面が、他方の山形鋼１７の２つの面とそれぞれ平行となるように配置され、上端に腰壁コネクター上面部１３、下端に腰壁コネクター下面部１８が、２つの山形鋼１７に垂直となるように溶接されている。
【００３４】
腰壁上面板３ａと腰壁コネクター８の上面には、図３、図９に示すように、パラペット笠木合板９が張り渡されている。
パラペット笠木合板９は、木材からなる板体であり、ボルト脚部１２を突出させた状態で腰壁３、腰壁コネクター８上に設置されている。
【００３５】
なお、腰壁コネクター８及び腰壁３のバルコニー７の建物外側の面には、図３に示すように、腰壁パネル１９が固定され、腰壁パネル１９の建物外側には、外壁パネル２０が設置される。
【００３６】
パラペット笠木合板９及びボルト脚部１２の上には、パラペット笠木合板９とボルト脚部１２との間隙を埋める防水処理のために、複数の防水具が設置されている。
防水具には、防水下地２３、防水盤２４、防水キャップ１４、防水役物１５、防水キャップ保護盤２５、防水テープ２６が含まれる。
【００３７】
防水下地２３は、図３、図９に示すように、塩化ビニル鋼板からなる正方形の板体であって、中央にボルト脚部１２の径より僅かに大きな径の円形孔２３ａが穿設されている。
防水下地２３は、円形孔２３ａからボルト脚部１２を突出させた状態で、パラペット笠木合板９上部に設置されている。
防水下地２３は、ボルト脚部１２とパラペット笠木合板９の間隙を覆うために設置される。
【００３８】
防水盤２４は、図３、図１０に示すように、円盤形の定形ブチル成形品であり、中央部にボルト１１の螺子部を貫通させるための貫通孔２４ａが形成されている。
防水盤２４は、ボルト脚部１２上に貫通孔２４ａからボルト１１の螺子部を突出させた状態で設置される。
防水盤２４は、ボルト脚部１２上面とボルト１１の螺子部の間隙を狭くするために設置される。
【００３９】
防水キャップ１４は、軟質塩化ビニル成形品であり、図３、図１０に示すように、下面が開口になった円筒体となっている。
防水キャップ１４の上面にはボルト１１の螺子部を貫通させるための貫通孔１４ａが形成されている。
防水キャップ１４は、ボルト脚部１２上に、ボルト１１の螺子部を突出させ、ボルト脚部１２を覆う状態で設置される。
防水キャップ１４は、ボルト脚部１２と防水盤２４の間隙を覆うために設置される。
【００４０】
防水役物１５は、軟質塩化ビニル成形品であり、図３、図１０に示すように、上下端が開口となった円筒体の下端に、円筒体下端と同じ形状の開口を備えたリング状板体が一体として形成された形状からなる。
防水役物１５は、防水キャップ１４の周囲に、防水キャップ１４の上部を突出させた状態で設置される。
防水役物１５は、防水キャップ１４と防水下地２３の間隙を覆うために設置される。
図３、図１１に示すように、防水役物１５の上端端末、下端端末はそれぞれプルーフシーラー１６ａ、１６ｂによりシーリング処理されている。
【００４１】
防水キャップ保護盤２５は、ステンレス製のリング状板体である。
防水キャップ保護盤２５の中央部には、ボルト１１の螺子部を貫通させるための貫通孔２５ａが形成されている。
防水キャップ保護盤２５は、防水キャップ１４上面に載せられる。
防水キャップ保護盤２５は、防水キャップ１４上面を保護するために設置される。
【００４２】
パラペット笠木合板９の上面全体には、図１２に示すように、防水テープ２６が貼られている。
防水テープ２６は、公知の防水テープであり、ボルト脚部１２を突出させた状態で、パラペット笠木合板９上の全面に貼付される。
防水テープ２６は、パラペット笠木合板９の幅よりも若干幅広く形成され、パラペット笠木合板９の長手方向に垂直な方向の両端辺で下に折曲され、図３に示すように、テープ押え部材２６ａで、腰壁パネル１９に止めつけられている。
防水テープ２６は、パラペット笠木合板９及び腰壁３全体を防水するために設置される。
【００４３】
パラペット笠木合板９上には、防水テープ２６の上から、図３に示すように、笠木５が設置されている。
笠木５は、アルミニウム製の公知の笠木である。
笠木５は、長手方向に垂直な方向の端辺が下方へ折曲されたコ字形状からなり、裏側に形成された係止部５ａで、パラペット笠木合板９にビス止めされている。
笠木５は、図３に示すように、ボルト脚部１２の上部を突出させた状態で、パラペット笠木合板９上に設置される。
【００４４】
笠木５を貫通して上方へ突出するボルト１１には、柱取合いプレート１０が固定される。
柱取合いプレート１０は、鋼製の円盤体である。
図６は、柱取合いプレート１０の平面図を示す。柱取合いプレート１０は、円盤状の柱支持部１０ｄ、柱支持部１０ｄの上面に形成された、円筒体からなるボルト貫通部１０ａ、柱支持部１０ｄの下面に形成されたボルト脚部格納部１０ｂが一体に形成されてなる。
【００４５】
柱支持部１０ｄの中心にはボルト１１の螺子部用の貫通孔が穿設され、この貫通孔は、ボルト貫通部１０ａの内壁と同じ形状になっている。
柱支持部１０ｄのボルト脚部格納部１０ｂより外周側の４箇所には、柱取合いプレート１０と柱６をボルトにより固定するためのボルト孔１０ｃが形成されている。
【００４６】
本実施形態のボルト脚部格納部１０ｂは、特許請求の範囲の筒状の壁体に該当する。
ボルト脚部格納部１０ｂは、図３に示すように、ボルト脚部１２より大きな径の円筒体であり、ボルト脚部格納部１０ｂが、ボルト脚部１２を格納し得るようになっている。
【００４７】
本実施形態のボルト貫通部１０ａは、特許請求の範囲の貫通孔に該当する。
図３に示すように、柱取合いプレート１０は、ボルト貫通部１０ａからボルト１１の螺子部を突出させた状態で、ボルト脚部１２の上部に設置され、ボルト１１にナット１１ａが締結されることにより固定される。
なお、柱取合いプレート１０と柱６とを連結固定することによって、腰壁３上面に柱６を立設することが可能となる。
柱取合いプレート１０上には、柱６がボルト１０ｅによって螺設される。
【００４８】
図７は、柱６の平面図である。
図７、図８に示すように、柱６は、板体からなる柱固定部６ｅと、柱固定部６ｅ上面に垂直に立設する螺子部格納部６ａと、螺子部格納部６ａ上に立設する柱部６ｃとが一体形成されたものである。
【００４９】
本実施形態の柱６の柱固定部６ｅは、特許請求の範囲の連結部材連結部に該当する。
柱６の柱固定部６ｅは、鋼製の板体である。柱固定部６ｅの中央には、ボルト１１の螺子部及びナット１１ａを貫通させるための正方形の貫通孔６ｄ、柱取合いプレート１０と柱固定部６ｅをボルト１０ｅにより固定するためのボルト孔６ｂが形成されている。
【００５０】
本実施形態の螺子部格納部６ａは、特許請求の範囲の被覆室に該当する。
螺子部格納部６ａは、中空四角柱の上面に、正方形の板体が一体に形成されてなり、柱固定部６ｅ上面に垂直に溶接により固定される。
柱部６ｃは、断面Ｌ字形の山形鋼であり、螺子部格納部６ａ上面板体に溶接により垂直に固定される。
【００５１】
次に、出隅２における腰壁３への柱６の固定手順について説明する。
まず、図４に示すように、梁２２及びジョイントボックス２１を固定する。
次に、バルコニー７に、床７ａを張る。
ジョイントボックス２１上に、腰壁コネクター８をボルト止めする。
【００５２】
次に、図５のように、バルコニー７の外周の２階の壁から腰壁コネクター８までの間に、腰壁３を設置する。
腰壁３の外側の面に、腰壁パネル１９を固定する。パラペット笠木合板９を、腰壁３及び腰壁コネクター８の上面に張り、図９の状態とする。
図９に示すように、ボルト脚部１２とパラペット笠木合板９の間隙を狭小するために、ボルト脚部１２を突出させた状態で、防水下地２３をビス止めする。
【００５３】
次に、図１０に示すように、ボルト脚部１２上面とボルト１１の螺子部との間隙を狭小するため、ボルト１１の螺子部を突出させた状態で、防水盤２４をボルト脚部１２上面に載せる。
【００５４】
ボルト脚部１２と防水盤２４の間隙を覆うため、防水キャップ１４を被せる。防水キャップ１４を、ボルト１１の螺子部を突出させた状態で、ボルト脚部１２と防水盤２４を覆うように被せる。
防水キャップ１４と防水下地２３の間隙を覆うため、防水役物１５を被せる。
防水役物１５は、防水キャップ１４頭部を突出させた状態で、防水キャップ１４側面と、防水キャップ１４と防水下地２３との間隙を覆うように設置する。
【００５５】
次に、図１１に示すように、防水役物１５と防水キャップ１４上部との間隙及び防水役物１５と防水下地２３との間隙を埋めるために、防水役物１５の上端端末、下端端末にプルーフシーラー１６ａ、１６ｂによるシーリング処理を施す。
プルーフシーラー１６ａ、１６ｂは、変成シリコンの防水シーリングであり、防水キャップ１４、防水役物１５、防水下地２３の接合端に塗布し、接合端に形成された間隙より水分が浸入することを防止する。
【００５６】
プルーフシーラー１６によるシーリング処理を行った後、防水キャップ１４上面を保護するために、防水キャップ保護盤２５をボルト１１の螺子部を突出させた状態で載せる。
【００５７】
次に、図１２に示すように、パラペット笠木合板９上面全面に、ボルト脚部１２を突出させた状態で、公知の防水テープ２６を貼付する。
防水テープ２６は、パラペット笠木合板９の幅よりやや幅広であるため、防水テープ２６をパラペット笠木合板９の短辺方向の両側に折り曲げ、図３のようにテープ押え部材２６ａで固定する。
【００５８】
この様に一連の防水処理を行った後、ボルト脚部１２を突出させた状態で、パラペット笠木合板９に笠木５を固定する。次いで、図１２のように、ボルト脚部１２上に柱取合いプレート１０を設置する。
この柱取合いプレート１０の設置工程では、まず、ボルト脚部１２上に柱取合いプレート１０を載せる。
【００５９】
ボルト１１の螺子部を、柱取合いプレート１０のボルト貫通部１０ａより突出させ、ナット１１ａで締める。図８のように、柱固定部６ｅが柱支持部１０ｄに重なるよう、柱取合いプレート１０上に柱６を載せる。
ナット１１ａが螺設されたボルト１１の螺子部は、柱固定部６ｅの貫通孔６ｄを貫通し、螺子部格納部６ａに格納される。
【００６０】
柱取合いプレート１０のボルト１０ｅを、柱取合いプレート１０のボルト孔１０ｃ及び柱固定部６ｅのボルト孔６ｂに、柱取合いプレート１０下面側より螺合させ、柱固定部６ｅ上の位置でナット締めし、図３の状態とする。以上で、腰壁３上への柱６の設置が完了する。
その後、柱６及び不図示の２階壁に不図示のボルトで柵４を固定して、図１の状態とする。
【００６１】
【発明の効果】
以上のように本発明によれば、笠木を貫通して腰壁の上部に柱を立設することが可能である。
本発明においては、ボルトの螺子部を上部に突出させて複数段階の防水処理を施し、柱取合いプレートを設置して柱を立設することとしたため、笠木を貫通したことにより生じる防水面での不安が解消される。
【００６２】
また、腰壁コネクターは、鋼製で一体的に形成され、鋼製のジョイントボックスを介して、建築物の躯体より一体的に立設されているため、笠木下部の腰壁上面に柱を留めつける工法に比して強度を格段に向上させることが可能である。
【００６３】
また、腰壁コネクターを使用することによって、腰壁上部への柱立設作業を簡易に行うことが可能であるとともに、従来の工法の比して簡易に防水作業を行うことが可能であるため、柱付き腰壁の品質が、現場の施工担当者の技能に左右されることがなく、一定した品質の製品を提供することができる。
【００６４】
更に、柱を立設するために必要な部品数を減少させることができるので、意匠面においても有利であり、バルコニー作成の際に多様性のある意匠創作が可能となる。
【図面の簡単な説明】
【図１】本発明の一実施形態に係る柱付き腰壁を示す斜視図である。
【図２】本発明の一実施形態に係る腰壁の出隅付近平面図である。
【図３】本発明の一実施形態に係る図２のＡ−Ａ線断面図である。
【図４】本発明の一実施形態に係る腰壁の出隅付近結合状態説明図である。
【図５】本発明の一実施形態に係る出隅付近の平面図である。
【図６】本発明の一実施形態に係る柱取合いプレート平面図である。
【図７】本発明の一実施形態に係る柱平面図である。
【図８】本発明の一実施形態に係る図６のＢ−Ｂ線断面図及び図７のＣ−Ｃ線断面図における柱取合いプレート及び柱の結合状態の説明図である。
【図９】本発明の一実施形態に係る腰壁コネクター防水工程説明図である。
【図１０】本発明の一実施形態に係る腰壁コネクター防水工程説明図である。
【図１１】本発明の一実施形態に係る腰壁コネクター防水工程説明図である。
【図１２】本発明の一実施形態に係る柱付き腰壁の設置状態説明図である。
【符号の説明】
１  外壁
２  出隅
３  腰壁
４  柵
５  笠木
６  柱
７  バルコニー
８  腰壁コネクター
９  パラペット笠木合板
１０  柱取合いプレート
１１  ボルト
１２  ボルト脚部
１３  腰壁コネクター上面部
１４  防水キャップ
１５  防水役物
１６  プルーフシーラー
１７  山形鋼
１８  腰壁コネクター下面部
１９  腰壁パネル
２０  外壁パネル
２１  ジョイントボックス
２２  梁
２３  防水下地
２４  防水盤
２５  防水キャップ保護板
２６  防水テープ
【図１】
2004232390.tif 000003
【図２】
2004232390.tif 000004
【図３】
2004232390.tif 000005
【図４】
2004232390.tif 000006
【図５】
2004232390.tif 000007
【図６】
2004232390.tif 000008
【図７】
2004232390.tif 000009
【図８】
2004232390.tif 000010
【図９】
2004232390.tif 000011
【図１０】
2004232390.tif 000012
【図１１】
2004232390.tif 000013
【図１２】
2004232390.tif 000014